(57)【要約】【課題】子局装置内部の伝送負荷を低減し、１系と２系の制御情報の受信タイミングのずれにも対応可能にする。【解決手段】上位システム１から対上位局処理部５，６に制御情報を並行伝送し、子局装置は、両制御情報の先後着受信を確認し、両制御情報の一方を主系側の対下位局処理部７から下位システム１０に伝送し、他方の制御情報は破棄する二重系遠方監視制御システムにおいて、対上位局処理部は受信した制御情報を対下位局処理部にそれぞれ伝送し、対下位局処理部で両制御情報の先後着受信を確認する。対下位局処理部は一方の対上位局処理部からの先着制御情報を両方の対上位処理部に一旦返し、対上位局処理部は制御情報の返信に対して上位システムからの制御情報の受信時と同じに対下位局処理部にそれぞれ再伝送し、対下位局処理部は再伝送される制御情報を既に受信済みとして破棄することも含む。【選択図】図１
2006304024.tif 000002
【特許請求の範囲】
【請求項１】
上位システムから１系と２系に二重化された伝送回線によって子局装置に制御情報を並行伝送し、
前記子局装置は、上位システムから並行伝送される制御情報を１系と２系の対上位局処理部でそれぞれ受信し、両制御情報の先後着受信を確認し、両制御情報の一方を主系側の対下位局処理部から下位システムに伝送し、他方の制御情報は破棄する二重系遠方監視制御システムにおいて、
前記１系と２系の対上位局処理部は、それぞれ受信した制御情報を前記主系の対下位局処理部にそれぞれ伝送し、
前記対下位局処理部は両制御情報の先後着受信を確認することを特徴とする二重系遠方監視制御システム。
【請求項２】
上位システムから１系と２系に二重化された伝送回線によって子局装置に制御情報を並行伝送し、
前記子局装置は、上位システムから並行伝送される制御情報を１系と２系の対上位局処理部でそれぞれ受信し、両制御情報の先後着受信を確認し、両制御情報の一方を主系側の対下位局処理部から下位システムに伝送し、他方の制御情報は破棄する二重系遠方監視制御システムにおいて、
前記１系と２系の対上位局処理部は、それぞれ受信した制御情報を前記主系の対下位局処理部にそれぞれ伝送し、
前記対下位局処理部は、一方の対上位局処理部から伝送された先着制御情報を１系と２系の両方の対上位処理部に一旦返し、
前記１系と２系の対上位局処理部は、前記対下位局処理部からの制御情報の返信に対して上位システムからの制御情報の受信時と同じに対下位局処理部にそれぞれ再伝送し、
前記対下位局処理部は、再伝送される制御情報を既に受信済みとして破棄することを特徴とする二重系遠方監視制御システム。
【発明の詳細な説明】
【技術分野】
【０００１】
本発明は、１系と２系に二重化された伝送回線によって、上位システムと子局装置との間で監視制御情報を並行伝送する二重系遠方監視制御システムに係り、特に子局装置における制御情報の選択方式に関する。
【背景技術】
【０００２】
この種の二重系遠方監視制御装置の構成例を図３に示す。上位システム１と子局装置２は、監視情報（上り情報）または制御情報（下り情報）の伝送に、上位システム側の１系と２系の対子局伝送装置３，４と、子局装置側の１系と２系の対上位局処理部５，６との間で、二重の伝送回線を介して並行的に伝送する。子局装置２内では、対上位局処理部５，６と対下位局処理部７，８の一方（主系）との間で監視情報と制御情報とを並行的に授受する。系切替部９は、対下位局処理部７、８のうちの主系側に切り替え、主系側の対下位局処理部と下位システム１０との間で、監視情報と制御情報を伝送する。
【０００３】
このように、対上位局処理部５，６と対下位局処理部７，８を共に二重系に構成して信頼性を高めたシステムにおいて、制御情報を上位システム１から子局装置２に並行して伝送する場合、子局装置２は、同じ制御情報を２箇所で受け取ることになるが、時間的に先着受信した制御情報を選択し、これを１回だけ下位システム１０に伝送し、後着受信した制御情報は廃棄するようにしている（例えば、特許文献１参照）。
【０００４】
ここで、対上位局処理部５，６は、１系と２系で制御情報を受信したか否かを互いに確認した後、主系側の対下位局処理部７に制御情報の伝送を通知する。この確認には、上位システム１側で管理番号を制御情報に付した通番管理を行い、対上位局処理部５，６では受信した制御情報の番号を互いに伝送して照合処理を行う方式がある。他の確認方式として、制御情報そのものを互いに伝送し、その一致／不一致で互いに確認することで、通番管理を不要にする方式もある。
【０００５】
なお、子局装置２は、上位システム１から１つのマクロ制御指令を受け、この指令には子局装置２内で複数の制御情報に分割し、この分割した多数の制御情報を下位システム１０に連続的に伝送することで、下位システム１０をシーケンシャルに制御するマクロ制御方式もある。
【特許文献１】特開平７−１３１９４３号公報
【発明の開示】
【発明が解決しようとする課題】
【０００６】
従来の二重系情報伝送方式では、子局装置は対上位局処理部５，６において１系と２系で相互に情報をやり取りする確認処理が必要となり、子局装置内部の伝送負荷が増える。
【０００７】
また、前記のマクロ制御方式によって下位システムをシーケンス制御する場合など、多数の制御情報を連続的に受信する場合、その受信タイミングと１系２系の相互確認タイミングによっては、時間的な受信ずれが生じてしまうことが予測されるため、その対策等で確認処理が複雑になる。
【０００８】
以上のような問題は、制御情報自体の一致／不一致で確認する方式で顕著になり、伝送負荷の大幅な増大と確認処理の複雑化が問題となる。
【０００９】
本発明の目的は、上記の課題を解決した二重系遠方監視制御システムを提供することにある。
【課題を解決するための手段】
【００１０】
本発明は、前記の課題を解決するため、制御情報をそれぞれ受信した１系と２系の対上位局処理部は制御情報の先後着確認を行うことなく対下位局処理部にそれぞれ伝送し、対下位局処理部で制御情報の確認を行うことで、子局装置内部の伝送負荷を低減する。
【００１１】
さらに、対下位局処理部は、一方の対上位局処理部から伝送された先着制御情報を１系と２系の両方の対上位処理部に一旦返し、この制御情報の返信に対して両方の対上位局処理部ではあたかも上位システムから制御情報を受信したように処理することで、マクロ制御方式などにおける１系と２系の制御情報の受信タイミングのずれの問題にも対応可能とする。
【００１２】
以上のことから、本発明は、以下の方式を特徴とする。
【００１３】
（１）上位システムから１系と２系に二重化された伝送回線によって子局装置に制御情報を並行伝送し、
前記子局装置は、上位システムから並行伝送される制御情報を１系と２系の対上位局処理部でそれぞれ受信し、両制御情報の先後着受信を確認し、両制御情報の一方を主系側の対下位局処理部から下位システムに伝送し、他方の制御情報は破棄する二重系遠方監視制御システムにおいて、
前記１系と２系の対上位局処理部は、それぞれ受信した制御情報を前記主系の対下位局処理部にそれぞれ伝送し、
前記対下位局処理部は両制御情報の先後着受信を確認することを特徴とする。
【００１４】
（２））上位システムから１系と２系に二重化された伝送回線によって子局装置に制御情報を並行伝送し、
前記子局装置は、上位システムから並行伝送される制御情報を１系と２系の対上位局処理部でそれぞれ受信し、両制御情報の先後着受信を確認し、両制御情報の一方を主系側の対下位局処理部から下位システムに伝送し、他方の制御情報は破棄する二重系遠方監視制御システムにおいて、
前記１系と２系の対上位局処理部は、それぞれ受信した制御情報を前記主系の対下位局処理部にそれぞれ伝送し、
前記対下位局処理部は、一方の対上位局処理部から伝送された先着制御情報を１系と２系の両方の対上位処理部に一旦返し、
前記１系と２系の対上位局処理部は、前記対下位局処理部からの制御情報の返信に対して上位システムからの制御情報の受信時と同じに対下位局処理部にそれぞれ再伝送し、
前記対下位局処理部は、再伝送される制御情報を既に受信済みとして破棄することを特徴とする。
【発明の効果】
【００１５】
以上のとおり、本発明によれば、以下の効果がある。
【００１６】
（１）制御情報をそれぞれ受信した１系と２系の対上位局処理部は制御情報の先後着確認を行うことなく対下位局処理部にそれぞれ伝送し、対下位局処理部で制御情報の確認を行うため、１系及び２系の対上位局処理部間での情報の授受を不要にし、子局装置内部の伝送負荷が低減される。
【００１７】
（２）対下位局処理部は、一方の対上位局処理部から伝送された先着制御情報を１系と２系の両方の対上位処理部に一旦返し、この制御情報の返信に対して両方の対上位局処理部ではあたかも上位システムから制御情報を受信したように処理することで、マクロ制御方式などにおける１系と２系の受信タイミングがずれても子局装置内部では、単純な処理で同じタイミングで処理することが可能となる。
【００１８】
また、例えば、２系の対上位局の伝送回線が異常となっていた場合で、１系からのマクロ制御指令を受け、処理中に１系の対上位局処理部が停止しても、２系の対上位局処理部で処理が継続されるなど、二重故障でもマクロ制御を継続することが可能となる。
【発明を実施するための最良の形態】
【００１９】
（実施形態１）
図１は、本発明の実施形態を示す二重系遠方監視制御装置の構成図であり、システム構成上では図３と同等となるが、子局装置２における制御情報の確認処理方式が異なる。
【００２０】
制御情報に関して、対上位局処理部５．６は、制御情報を受信するとそのまま主系の対下位局処理部７に伝送し、対下位局処理部7は対上位局処理部５．６からそれぞれ伝送された制御情報のうち、先着した制御情報のみを記憶しておくと共に下位システム１０に伝送し、後着した制御情報との照合によって制御情報の受信を確認し、この確認で後着の制御情報は廃棄する方式とする。
【００２１】
例えば、子局装置２は、１系が先に制御情報を受信した場合、図１中に示す時刻ｔ１〜ｔ５の順で処理される。まず、対上位局処理部５が１系から制御情報を受信したとき（時刻ｔ１）、この制御情報が対下位局処理部７に伝送され（時刻ｔ２）、この制御情報が対下位局処理部７によって系切替部９を通して下位システム１０に伝送される（時刻ｔ３）。その後、対上位局処理部６が２系から制御情報を受信したとき（時刻ｔ４）、この制御情報が対下位局処理部７に伝送される（時刻ｔ５）。対下位局処理部７は、２系から受信した制御情報を使用して、先着受信された制御情報との照合で受信を確認し、これが後着であるため廃棄する。結果として、下位システムには１回しか制御情報は送信されない。このとき、対上位局処理部５，６は、互いに自身が対下位局処理部に通知した制御情報が廃棄されたか否かを確認することなく、相手系の制御情報が処理されていても、自身の制御情報を処理しているものとして順次処理を進める。
【００２２】
したがって、本実施形態によれば、対上位局処理部５，６は、制御情報を受信したか否かを確認するために互いに情報の授受を行うことが不要になり、これにより子局装置内部の伝送負荷が低減される。
【００２３】
（実施形態２）
図２は、本発明の実施形態を示す二重系遠方監視制御装置の構成図であり、システム構成上では図１と同等となるが、マクロ制御方式における制御情報の確認処理方式が異なる。
【００２４】
実施形態１では、対上位局処理部は１系２系共に自身が通知した制御情報が処理されているものと判断するようにし、処理の簡略化を図ったが、例えばマクロ制御方式のように下位システムをシーケンシャルに制御するような場合は、対上位局からの制御情報を受信するタイミングが大幅にずれた場合、以降、対上位局処理部５，６ではつじつまが合わないまま処理が進められる可能性がある。
【００２５】
上記可能性を考慮して、本実施形態は、対上位局処理部５，６からのマクロ制御情報を主系の対下位局処理部７が受けた場合、その情報が先着であった場合は一旦、１系と２系の両系の対上位局処理部５．６に返信し、後着のマクロ制御情報は廃棄し、対上位局処理部５，６は上記返信を受けた時点でマクロ制御処理を開始する方式とする。
【００２６】
例えば、子局装置２は、１系が先にマクロ制御情報を受信した場合、図２中に示す時刻ｔ１〜ｔ８の順で処理される。まず、対上位局処理部５が１系からマクロ制御情報を受信したとき（時刻ｔ１）、このマクロ制御情報が対下位局処理部７に通知され（時刻ｔ２）、このマクロ制御情報が先着であるため、１系及び２系の対上位局処理部５，６に一旦返信される（時刻ｔ３）。対上位局処理部５，６はそれぞれマクロ制御を開始し、シーケンシャルに制御情報の伝送を開始する（時刻ｔ４、ｔ５）。これら制御情報は実施形態１と同様に、対下位局処理部７によって下位システム１０に１回伝送される（時刻ｔ６）。その後、対上位局処理部６が２系からマクロ制御情報を受信したとき（時刻ｔ７）、このマクロ制御情報が対下位局処理部７に伝送される（時刻ｔ８）。このマクロ制御情報に対して、対下位局処理部７は、既に受信済（時刻ｔ２）であるため、廃棄する。
【００２７】
なお、子局装置２は、２系が先にマクロ制御情報を受信した場合、対下位局処理部７がこの制御情報を１系と２系の対上位局処理部５，６に一旦返信し、その後に１系がマクロ制御情報を受信した場合に、このマクロ制御情報が伝送された対下位局処理部７が既に受信済であるため廃棄する。
【００２８】
したがって、本実施形態によれば、上位システムから並行受信するマクロ制御情報の受信タイミングがずれた場合にも、子局装置内では単純な処理で同じタイミングで処理することが可能となる。また、例えば２系の伝送回線が異常となっていた場合で、１系からのマクロ制御指令を受け、処理中に１系の対上位局処理部が停止しても、２系の対上位局処理部６で処理が継続されるなど、二重故障の発生でもマクロ制御を継続することが可能となる。
【図面の簡単な説明】
【００２９】
【図１】本発明の実施形態１を示す二重系遠方監視制御装置の確認処理手順図。
【図２】本発明の実施形態２を示す二重系遠方監視制御装置の確認処理手順図。
【図３】二重系遠方監視制御装置の構成例。
【符号の説明】
【００３０】
１  上位システム
２  子局装置
３  対子局伝送装置（１系）
４  対子局伝送装置（２系）
５  対上位局処理部（１系）
６  対上位局処理部（２系）
７  対下位局処理部（主系）
８  対下位局処理部（従系）
９  系切替部
１０  下位システム
【図１】
2006304024.tif 000003
【図２】
2006304024.tif 000004
【図３】
2006304024.tif 000005